(57)【要約】      （修正有）【課題】電動ドライバを用いて吊りボルトを天井に取り付ける際に、吊りボルトをそのネジ山を潰すことなく、天井に取り付けられる治具を提供する。【解決手段】吊りボルトの基端部に突出状態で螺着される高ナット２と、基端部側が電動ドライバのチャック部に挿着され、先端部側が高ナット２に螺着される連結具３とから成り、電動ドライバの駆動により連結具３及び高ナット２を介して吊りボルトを回転させる吊りボルト用取付け治具１であって、前記連結具３は、高ナット２に着脱自在に螺着される雄ネジ部３ａと、雄ネジ部３ａの基端側に連設されて高ナット２の端面に当接する鍔部３ｂと、鍔部３ｂに連設されて電動ドライバのチャック部に着脱自在に挿着される軸部３ｃと、雄ネジ部３ａの先端面に設けられて吊りボルトの基端面に点接触状態で当接する突起部３ｄとを備えている。【選択図】図１
0003144459.tif 000002
【実用新案登録請求の範囲】
【請求項１】
吊りボルト（Ｂ）の基端部に突出状態で螺着される高ナット（２）と、基端部側が電動ドライバのチャック部４に挿着され、先端部側が高ナット（２）に螺着される連結具（３）とから成り、電動ドライバの駆動により連結具（３）及び高ナット（２）を介して吊りボルト（Ｂ）を回転させる吊りボルト用取付け治具（１）であって、前記連結具（３）は、高ナット（２）に着脱自在に螺着される雄ネジ部（３ａ）と、雄ネジ部（３ａ）の基端側に連設されて高ナット（２）の端面に当接する鍔部（３ｂ）と、鍔部（３ｂ）に連設されて電動ドライバのチャック部（４）に着脱自在に挿着される軸部（３ｃ）と、雄ネジ部（３ａ）の先端面に設けられて吊りボルト（Ｂ）の基端面に点接触状態で当接する突起部（３ｄ）とを備えていることを特徴とする吊りボルト用取付け治具。
【請求項２】
突起部（３ｄ）が、雄ネジ部（３ａ）の先端面中央位置に一体的に形成された円錐形状のピンから成り、円錐形状のピンの先端が吊りボルト（Ｂ）の基端面に点接触状態で当接する構成としたことを特徴とする請求項１に記載の吊りボルト用取付け治具。
【請求項３】
突起部（３ｄ）が、雄ネジ部（３ａ）の先端面中央位置に一体的に形成された半球形状のボールから成り、半球形状のボールの頂面が吊りボルト（Ｂ）の基端面に点接触状態で当接する構成としたことを特徴とする請求項１に記載の吊りボルト用取付け治具。
【請求項４】
突起部（３ｄ）が、雄ネジ部（３ａ）の先端面中央位置に突出状態で埋設された交換可能な球状のボールから成り、球状のボールの頂面が吊りボルト（Ｂ）の基端面に点接触状態で当接する構成としたことを特徴とする吊りボルト用取付け治具。
【考案の詳細な説明】
【技術分野】
【０００１】
本発明は、主にビルや工場等の建物の天井、或いは地下街や地下道の天井等に吊りボルトを取り付ける際に用いるものであり、特に、電動ドリルやインパクトドリル等の電動ドライバを用いて吊りボルトを天井に取り付ける際に、吊りボルトをそのネジ山を潰すことなく、天井に取り付けられるようにした吊りボルト用取付け治具に関するものである。
【背景技術】
【０００２】
一般に、ビルや工場等の建物、或いは地下街や地下道等に於いては、電気工事、配線工事、配管工事、空調工事等のために、建物や地下街等の天井に吊りボルトが所定の間隔で取り付けられている。
【０００３】
この吊りボルトを天井に取り付ける際には、吊りボルトの本数が多いため、電動ドリルやインパクトドリル等の電動ドライバやボルトレンチ等を用いて吊りボルトを天井に取り付けるようにしている（例えば、特許文献１参照）。
【０００４】
即ち、吊りボルトの天井への取り付けは、図示していないが、吊りボルトの基端部を電動ドリルのチャック部に挿着したボルトレンチに挿入し、又、吊りボルトの先端部をコンクリート製の天井に埋設したインサートや鉄骨製の天井に溶着したインサートに差し込み、この状態で電動ドリルによりボルトレンチを介して吊りボルトを回転させ、吊りボルトの先端部をインサートにねじ込むことによって、吊りボルトを天井へ取り付けるようにしている。
【０００５】
又、吊りボルトの取り付けに用いるボルトレンチ１０は、図６及び図７に示す如く、電動ドライバのチャック部に挿着される六角柱形状の軸部１１ａを備え、横断面形状が略三角形状の収容空間１１ｂを形成した有底筒状の外筒体１１と、外筒体１１の収容空間１１ｂに回転自在に挿入され、三箇所に縦割り溝１２ａを形成した筒状の内筒体１２と、内筒体１２の各縦割り溝１２ａに回転自在に嵌め込まれ、外周面が内筒体１２の内外面から突出する三本のローラ１３と、外筒体１１の開口部分に嵌め込まれ、内筒体１２及び各ローラ１３を外筒体１１から抜け止めする抜け止めリング及びスナップリング（何れも図示省略）とから構成されており、各ローラ１３が図7（イ）に示すように外筒体１１の略三角形状の収容空間１１ｂの頂部位置にあるときには、各ローラ１３が内筒体１２内に挿入した吊りボルトＢの基端部を締め付けず、又、外筒体１１の回転により各ローラ１３が図7（ロ）に示すように外筒体１１の略三角形状の収容空間１１ｂの頂部位置からズレたときには、各ローラ１３が外筒体１１の略三角形状の収容空間１１ｂの内面により内側へ押圧されて吊りボルトＢの基端部を締め付け固定するようになっている。
【０００６】
ところで、上述したボルトレンチ１０を用いて電動ドリルにより吊りボルトＢを天井へ取り付ける際、ボルトレンチ１０により吊りボルトＢの基端部を締め付け固定したときにボルトレンチ１０の各ローラ１３の外周面が吊りボルトＢの基端部に強く圧接されるため、吊りボルトＢのネジ山を潰してしまうと云う問題があった。
【特許文献１】特開平８−３２３６４１号公報
【考案の開示】
【考案が解決しようとする課題】
【０００７】
本考案は、このような問題点に鑑みて為されたものであり、その目的は、吊りボルトを天井に取り付ける際に、ネジ山を潰すことなく取り付けられるようにした吊りボルト用取付け治具を提供することにある。
【課題を解決するための手段】
【０００８】
上記目的を達成する為に、本考案の請求項１の考案は、吊りボルトの基端部に突出状態で螺着される高ナットと、基端部側が電動ドライバのチャック部に挿着され、先端部側が高ナットに螺着される連結具とから成り、電動ドライバの駆動により連結具及び高ナットを介して吊りボルトを回転させる吊りボルト用取付け治具であって、前記連結具は、高ナットに着脱自在に螺着される雄ネジ部と、雄ネジ部の基端側に連設されて高ナットの端面に当接する鍔部と、鍔部に連設されて電動ドライバのチャック部に着脱自在に挿着される軸部と、雄ネジ部の先端面に設けられて吊りボルトの基端面に点接触状態で当接する突起部とを備えていることに特徴がある。
【０００９】
本考案の請求項２の考案は、突起部が、雄ネジ部の先端面中央位置に一体的に形成された円錐形状のピンから成り、円錐形状のピンの先端が吊りボルトの基端面に点接触状態で当接する構成としたことに特徴がある。
【００１０】
本考案の請求項３の考案は、突起部が、雄ネジ部の先端面中央位置に一体的に形成された半球形状のボールから成り、半球形状のボールの頂面が吊りボルトの基端面に点接触状態で当接する構成としたことに特徴がある。
【００１１】
本考案の請求項４の考案は、突起部が、雄ネジ部の先端面中央位置に突出状態で埋設された交換可能な球状のボールから成り、球状のボールの頂面が吊りボルトの基端面に点接触状態で当接する構成としたことに特徴がある。
【考案の効果】
【００１２】
本考案の請求項１の吊りボルト用取付け治具は、吊りボルトの基端部に突出状態で螺着される高ナットと、基端部側が電動ドライバのチャック部に挿着され、先端部側が高ナットに螺着される連結具とから成り、前記連結具が、高ナットに着脱自在に螺着される雄ネジ部と、雄ネジ部の基端側に連設されて高ナットの端面に当接する鍔部と、鍔部に連設されて電動ドライバのチャック部に着脱自在に挿着される軸部と、雄ネジ部の先端面に設けられて吊りボルトの基端面に点接触状態で当接する突起部とを備えているため、天井のインサートに吊りボルトを取り付ける際に、連結具の軸部を正逆回転機能を備えた電動ドライバのチャック部に挿着すると共に、連結具の雄ネジ部を吊りボルトの基端部に突出状態で螺着した高ナットに螺着し、この状態で吊りボルトの先端部を天井のインサートに差し込んで電動ドライバを駆動すると、連結具の鍔部が高ナットの端面に、又、連結具の突起部が吊りボルトの基端面に夫々当接した状態で連結具及び高ナットが回転し、これにより吊りボルトが連結具及び高ナットに対して廻り止めされた状態で連結具及び高ナットと一緒に回転し、天井のインサートにねじ込まれて行く。その結果、本考案の吊りボルト用取付け治具を用いれば、吊りボルトを天井に取り付ける際に、吊りボルトの基端部のネジ山が外方から強く締め付けられることがないので、吊りボルトの基端部側のネジ山を潰すことなく、吊りボルトを天井に取り付けることができる。
【００１３】
本考案の請求項２乃至請求項４の吊りボルト取付け用治具は、上記効果に加えて更に次のような優れた効果を奏することができる。
即ち、本考案の請求項２乃至請求項４の吊りボルト取付け用治具は、突起部が、雄ネジ部の先端面中央位置に一体的に形成された円錐形状のピン又は雄ネジ部の先端面中央位置に一体的に形成された半球形状のボール若しくは雄ネジ部の先端面中央位置に突出状態で埋設された交換可能な球状のボールから成り、ピンの先端又は半球状のボールの頂面若しくは球状のボールの頂面が吊りボルトの基端面に点接触状態で当接する構成としているため、吊りボルトを天井のインサートにねじ込んだ後、電動ドライバにより吊りボルト用取付け治具を逆回転させて吊りボルトから取り外すときに、連結具の突起部が点接触の状態で吊りボルトの基端面に当接しているので、吊りボルトが供廻りすると云うことがなく、連結具及び高ナットだけが逆回転することになる。その結果、本考案の請求項２乃至請求項４の吊りボルト取付け用治具は、取付け治具を吊りボルトから外す際に、吊りボルトが弛むのを防止することができる。
又、本考案の請求項４の吊りボルト用取付け治具は、突起部を形成する球状のボールが交換可能になっているため、吊りボルトの天井への取り付けによって、突起部であるボールが変形したり、損耗したりした場合でも、ボールだけを交換すれば、再使用することができる。その結果、本考案の請求項４の吊りボルト用取付け治具を用いれば、連結具の突起部が変形したり、損耗したりした場合でも、連結具全体を新しいものと交換したりする必要もなく、経済性に優れたものとなる。
【考案を実施するための最良の形態】
【００１４】
以下、本考案の実施の形態を図面に基づいて詳細に説明する。
図１は本考案の第1の実施形態に係る吊りボルト用取付け治具１を示し、当該吊りボルト用取付け治具１は、ビルや工場等の建物の天井Ａ、或いは地下街や地下道の天井Ａ等に吊りボルトＢを取り付ける際に用いるものであり、特に、正逆回転機能を備えた電動ドリルやインパクトドリル等の電動ドライバを用いて吊りボルトＢを天井Ａに取り付ける際に、吊りボルトＢをそのネジ山を潰すことなく、天井Ａに取り付けられるようにしたものである。
【００１５】
即ち、前記吊りボルト用取付け治具１は、吊りボルトＢの基端部に突出状態で螺着される高ナット２と、基端部側が電動ドライバのチャック部４に挿着され、又、先端部側が高ナット２に螺着される連結具３とから成り、電動ドライバの駆動により連結具３及び高ナット２を介して吊りボルトＢを回転させる構造となっている。
【００１６】
前記高ナット２は、ステンレス鋼や機械構造用炭素鋼、機械構造用合金鋼等の機械的に優れた金属材により形成されており、吊りボルトＢの基端部に吊りボルトＢの基端から突出する状態で螺着されている。この高ナット２には、従来公知のものが使用されている。
【００１７】
前記連結具３は、ステンレス鋼や機械構造用炭素鋼、機械構造用合金鋼等の機械的に優れた金属材により一体的に形成されており、基端部側が電動ドライバのチャック部４に着脱自在に挿着され、又、先端部側が吊りボルトＢの基端部に突出状態で螺着した高ナット２に着脱自在に螺着されるようになっている。
【００１８】
具体的には、連結具３は、高ナット２に着脱自在に螺着される雄ネジ部３ａと、雄ネジ部３ａの基端側に連設されて高ナット２の端面に当接する鍔部３ｂと、鍔部３ｂに連設されて電動ドライバのチャック部４に着脱自在に挿着される軸部３ｃと、雄ネジ部３ａの先端面に設けられて吊りボルトＢの基端面に点接触状態で当接する突起部３ｄとを備えている。
又、軸部３ｃは、六角柱形状に形成されており、その中間部分には、環状の抜け止め溝３ｅが形成されている。
更に、突起部３ｄは、雄ネジ部３ａの先端面中央位置に一体的に形成された円錐形状のピンから成り、円錐形状のピンの先端が吊りボルトＢの基端面中央位置に点接触状態で当接する構成となっている。
【００１９】
次に、上述した吊りボルト用取付け治具１を用いて吊りボルトＢを建物等の天井Ａに取り付ける場合について説明する。
先ず、連結具３の軸部３ｃを正逆回転機能を備えた電動ドライバのチャック部４に挿着固定すると共に、連結具３の雄ネジ部３ａを吊りボルトＢの基端部に突出状態で螺着した高ナット２に螺着する（図２参照）。このとき、雄ネジ部３ａは、鍔部３ｂの端面が高ナット２の端面に当接するように高ナット２にねじ込む。又、連結具３の突起部３ｄと吊りボルトＢの基端面とは、非接触状態となっている。
【００２０】
次に、作業者は、電動ドライバを手に持ったまま、吊りボルトＢの先端部をコンクリート製の天井Ａに埋設したインサート５や鉄骨製の天井Ａに溶着したインサート５に差し込む（図２参照）。
【００２１】
その後、作業者が電動ドライバを駆動すると、連結具３の鍔部３ｂが高ナット２の端面に当接しているので、連結具３及び高ナット２が一緒に回転して吊りボルトＢに沿って上方へ移動して行き、連結具３の突起部３ｄが吊りボルトＢの基端面に当接した時点で吊りボルトＢに対する連結具３及び高ナット２の回転及び移動が停止されると共に、連結具３の突起部３ｄが吊りボルトＢの基端面を押圧する。
その結果、吊りボルトＢは、連結具３の突起部３ｄにより連結具３及び高ナット２に対して廻り止めされた状態で連結具３及び高ナット２と一緒に回転し、天井Ａのインサート５にねじ込まれて行き、天井Ａに取り付けられることになる（図３参照）。
このとき、吊りボルトＢは、連結具３及び高ナット２を介して回転しているため、吊りボルトＢの基端部のネジ山が外方から強く締め付けられると云うことがない。その結果、吊りボルトＢは、基端部側のネジ山が潰れることなく、天井Ａに取り付けられる。
【００２２】
そして、吊りボルトＢを天井Ａのインサート５にねじ込んだ後、電動ドライバにより連結具３及び高ナット２を逆回転させて吊りボルトＢから取り外す。
このとき、連結具３の突起部３ｄが点接触の状態で吊りボルトＢの基端面に当接しているので、吊りボルトＢが供廻りすると云うことがなく、連結具３及び高ナット２だけが逆回転することになる。その結果、吊りボルト用取付け治具１を吊りボルトＢから外す際に、吊りボルトＢが弛むのを防止することができる。
【００２３】
図４は本考案の第２の実施形態に係る吊りボルト用取付け治具１を示し、当該吊りボルト用取付け治具１は、吊りボルトＢの基端部に突出状態で螺着される高ナット２と、基端部側が電動ドライバのチャック部４に挿着され、先端部側が高ナット２に螺着される連結具３とから成り、図１に示す吊りボルト用取付け治具１に対して連結具３の突起部３ｄの形状を変えたものである。
即ち、連結具３の突起部３ｄが、雄ネジ部３ａの先端面中央位置に一体的に形成された半球形状のボールから成り、半球状のボールの頂面が吊りボルトＢの基端面に点接触状態で当接する構成となっている。
この吊りボルト用取付け治具１は、連結具３の突起部３ｄの形状を変えたこと以外は、図１に示す吊りボルト用取付け治具１と同一形状及び同一構造に構成されており、図１に示す吊りボルト用取付け治具１と同じ部位・部材には同一の参照番号を付し、その詳細な説明を省略する。
この吊りボルト用取付け治具１も、図１に示す吊りボルト用取付け治具１と同様の作用効果を奏することができる。
【００２４】
図５は本考案の第３の実施形態に係る吊りボルト用取付け治具１を示し、当該吊りボルト用取付け治具１は、吊りボルトＢの基端部に突出状態で螺着される高ナット２と、基端部側が電動ドライバのチャック部４に挿着され、先端部側が高ナット２に螺着される連結具３とから成り、図１に示す吊りボルト用取付け治具１に対して連結具３の突起部３ｄの形状を変えたものである。
即ち、連結具３の突起部３ｄが、雄ネジ部３ａの先端面中央位置に突出状態で埋設された交換可能な球状のボールから成り、球状のボールの頂面が吊りボルトＢの基端面に点接触状態で当接する構成となっている。
この吊りボルト用取付け治具１は、連結具３の突起部３ｄの形状を変えたこと以外は、図１に示す吊りボルト用取付け治具１と同一形状及び同一構造に構成されており、図１に示す吊りボルト用取付け治具１と同じ部位・部材には同一の参照番号を付し、その詳細な説明を省略する。
この吊りボルト用取付け治具１も、図１に示す吊りボルト用取付け治具１と同様の作用効果を奏することができる。特に、この吊りボルト用取付け治具１は、突起部３ｄを形成する球状のボールが交換可能になっているため、吊りボルトＢの天井Ａへの取り付けによって、突起部３ｄであるボールが変形したり、損耗したりした場合でも、ボールだけを交換すれば、再使用することができる。その結果、この吊りボルト用取付け治具１を用いれば、連結具３の突起部３ｄが変形したり、損耗したりした場合でも、連結具３全体を新しいものと交換したりする必要がなく、経済性に優れたものとなる。
【産業上の利用可能性】
【００２５】
本考案は、吊りボルトに適用するようにしたが、スタッドボルトに適用するようにしても良い。
【図面の簡単な説明】
【００２６】
【図１】本考案の第1の実施形態に係る吊りボルト用取付け治具の一部破断正面図である。
【図２】吊りボルト用取付け治具の使用状態を示し、吊りボルトを吊りボルト用取付け治具を介して電動ドライバのチャック部にセットした状態の使用状態説明図である。
【図３】吊りボルト用取付け治具の使用状態を示し、吊りボルトを吊りボルト用取付け治具により天井のインサートにねじ込んだ状態の使用状態説明図である。
【図４】本考案の第２の実施形態に係る吊りボルト用取付け治具の一部破断正面図である。
【図５】本考案の第３の実施形態に係る吊りボルト用取付け治具の一部破断正面図である。
【図６】従来のボルトレンチの正面図である。
【図７】従来のボルトレンチを示し、（イ）は吊りボルトを締め付ける前の状態ボルトレンチの横断面図、（ロ）は吊りボルトを締め付けた状態のボルトレンチの横断面図である。
【符号の説明】
【００２７】
１は吊りボルト用取付け治具、２は高ナット、３は連結具、３ａは雄ネジ部、３ｂは鍔部、３ｃは軸部、３ｄは突起部、４はチャック部、Ｂは吊りボルト。
【図１】
0003144459.tif 000003
【図２】
0003144459.tif 000004
【図３】
0003144459.tif 000005
【図４】
0003144459.tif 000006
【図５】
0003144459.tif 000007
【図６】
0003144459.tif 000008
【図７】
0003144459.tif 000009